(57)【要約】【課題】風向板の風向調整をスムーズに行うことができ、また、風向板の向きを揃えることが可能で、美観及び品位に優れた風向変更装置を提供することを目的とする。【解決手段】基板１３に取り付けられた複数の風向板２４と、複数の風向板２４を連動させて風向を変更する連動杆１４とを備え、風向板２４は、羽根部１５と、該羽根部１５を支持する支持部１６とからなり、羽根部１５に軸部２９ａが形成され、連動杆１４において、軸部２９ａが係合可能な軸孔３１が連動杆１４の長さ方向に間隔をおいて複数形成され、軸孔３１は連動杆１４の長さ方向に対して直交する方向に細長い長孔形状とされた構成とする。【選択図】        図１３
2009299991.tif 000002
【特許請求の範囲】
【請求項１】
基板に取り付けられた複数の風向板と、該複数の風向板を連動させて風向を変更する連動杆とを備え、前記風向板は、羽根部と、該羽根部を支持する支持部とからなり、前記羽根部に軸部が形成され、前記連動杆において、前記軸部が係合可能な軸孔が連動杆の長さ方向に間隔をおいて複数形成され、前記軸孔は連動杆の長さ方向に対して直交する方向に細長い長孔形状とされたことを特徴とする風向変更装置。
【請求項２】
前記連動杆に形成された複数の軸孔のうちの一つが、前記軸部を回転自在に嵌合する丸孔形状とされたことを特徴とする請求項１記載の風向変更装置。
【請求項３】
前記連動杆の長さ方向一端側に連動杆を駆動する駆動モータが設置され、前記連動杆の長さ方向他端側に位置する軸孔を丸孔形状としたことを特徴とする請求項２記載の風向変更装置。
【請求項４】
前記連動杆に、前記軸孔に達する切欠部が形成されたことを特徴とする請求項１〜３のいずれかに記載の風向変更装置。
【請求項５】
前記支持部が前記基板に固定され、前記羽根部は、硬質部と、該硬質部の一側部に形成されて前記支持部に接続される可撓部とからなり、前記硬質部に前記軸部が形成されたことを特徴とする請求項１〜４のいずれかに記載の風向変更装置。
【請求項６】
請求項１〜５のいずれかに記載の風向変更装置が搭載されたことを特徴とする空気調節装置。
【発明の詳細な説明】
【技術分野】
【０００１】
本発明は、空気吹出口に設けられた複数の風向板を備える風向変更装置及びこれを備えた空気調節装置に関するものである。
【背景技術】
【０００２】
従来、空気調和機の室内ユニット等の吹出口には、特許文献１に示すように、風向を左右に変更するための風向変更装置が設置されている。風向変更装置は、吹出口の左右横方向にほぼ直交する回動軸まわりに回動自在とされた複数の風向板と、各風向板の羽根部に形成された連結部に連結して風向板を連動回転させる連動杆とを備えている。
【０００３】
また、特許文献２に示すように、軟質部と硬質部とからなる風向板を用いたものも知られている。この風向板は、中間部分が軟質材料で形成された軟質部とされ、その両端部分が硬質材料で形成された硬質部とされ、一方の硬質部が支持部として吹出口を構成する壁面（基板）に固定され、他方の硬質部の側端部には連動杆を連結するための係合手段が形成されている。そして、いずれの風向変更装置においても、連動杆を長さ方向へ移動させることによって、連動杆の動きに連動して風向板の向きを調整可能としている。
【０００４】
特許文献２記載の風向変更装置では、連動杆によって風向板に対して左右方向に力が加わったときには、軟質部が撓むことにより、羽根部全体として滑らかな曲面を形成するため、風向板に接触した空気流は、羽根部の曲面に沿ってスムーズに風向きを変更することが可能となり、空気吹出口から遠方まで効率よく空気流を吹出すことが可能となる。
【特許文献１】特開平８−２８５３６０号公報
【特許文献２】特開平９−１９６４５７号公報
【発明の開示】
【発明が解決しようとする課題】
【０００５】
ところで、上記風向変更装置において、風向板と、連動杆とを係合する係合手段としては、風向板に軸部を形成し、連動杆に軸部とほぼ同径の軸孔を連動杆の長さ方向に沿って直線上に複数形成して、軸部を軸孔に回転自在に係合させている。
【０００６】
しかしながら、風向板は合成樹脂を金型成形することによって形成するため、寸法のバラつきが生じやすく、風向板の支持部（回動軸）から軸部までの距離にバラつきが生じることがある。この場合、特許文献１の風向変更装置において、連動杆の各軸孔に、各風向板の軸部をそれぞれ係合すると、軸部が軸孔に押し付けられて摩擦力が生じ、風向板の向きをスムーズに変更するのが困難となる。
【０００７】
また、特許文献２に示す風向変更装置においては、図１５に示すように、連動杆１４の軸孔１４ｃに風向板２４の軸部２９ａを係合させると、支持部１６から軸部２９ａまでの距離が長い風向板２４については、可撓性を有する軟質部１５ｂが撓むことになる。したがって、風向調整しない状態において既に風向板２４の向きが不揃いとなり、製品としての美観及び品位を損なうという問題があった。
【０００８】
そこで、本発明においては、上記課題を解決するため、風向板の風向調整をスムーズに行うことができ、また、風向板の向きを揃えることが可能で、美観及び品位に優れた風向変更装置を提供することを目的とする。
【課題を解決するための手段】
【０００９】
上記問題点を解決するために、本発明では、基板に取り付けられた複数の風向板と、該複数の風向板を連動させて風向を変更する連動杆とを備え、風向板は、羽根部と、該羽根部を支持する支持部とからなり、羽根部に軸部が形成され、連動杆において、軸部が係合可能な軸孔が連動杆の長さ方向に間隔をおいて複数形成され、軸孔は連動杆の長さ方向に対して直交する方向に細長い長孔形状とされたことを特徴とする。
【００１０】
上記構成によれば、軸部は軸孔に対してスライド可能に係合するため、風向板の支持部と軸部の間の距離にバラつきが生じた場合でも、軸部と軸孔との間に摩擦力が生じることがなく、風向板の向きを揃えることができ、美観及び品位に優れた風向変更装置を提供することが可能となる。
【００１１】
また、上記連動杆に形成された複数の軸孔のうちの一つを、軸部が回転自在に嵌合する丸孔形状とすることができる。これにより、軸孔と軸部との間の遊びによって、連動杆がガタつくのを防ぐことが可能となり、より品位に優れた風向変更装置を得ることが可能となる。
【００１２】
丸孔形状にする軸孔は、連動杆に設けられる複数の軸孔のうち、どの位置のものであってもよいが、通常、連動杆の長さ方向一端側に連動杆を駆動する駆動モータが設置され、その位置で連動杆に接続されることから、連動杆の長さ方向の他端側に位置する軸孔を丸孔形状とするのが好ましい。これにより、連動杆の長さ方向両端を、駆動モータと丸孔形状の軸孔とによって、遊びのない状態で確実に保持することができる。
【００１３】
軸孔は、長孔形状とし、軸部を挿入するようにすることができるほか、連動杆に軸孔に達する切欠部を形成し、この切欠部から軸部を軸孔に係合させるようにすることも可能である。
【００１４】
本発明にかかる風向変更装置の風向板として、支持部が基板に固定され、羽根部が、硬質部と、該硬質部の一側部に形成されて前記支持部に接続される可撓部とからなり、硬質部に軸部が形成された構成のものを用いた場合には、風向板の向きを揃えつつ、風向板をスムーズに作動させることができ、美観及び品位に優れた風向変更装置を提供することが可能となる。
【００１５】
また、風向板の支持部を回転軸とした場合にも、風向板の風向調整をスムーズに行うことができる。
【００１６】
本発明の風向変更装置は、各種の空気調節装置、例えば、空気調和機、空気清浄機、除湿機、加湿器、電気ヒータ、石油ストーブ、ガスヒータ及び冷蔵庫等に搭載することができる。
【発明の効果】
【００１７】
以上のように、本発明によれば、風向板を連動させる連動杆の長さ方向に対して直交する方向に細長い長孔形状の軸孔を設けたため、風向板の向きを揃えつつ、風向板をスムーズに作動させることができ、美観及び品位に優れた風向変更装置を提供することが可能となる。
【発明を実施するための最良の形態】
【００１８】
本発明に係る実施形態を図面を基に説明する。本実施形態では、空気調節装置として空気調和機を用い、これに風向変更装置を搭載している。
【００１９】
空気調和機の室内ユニットを図１〜４に示す。室内ユニットは、熱交換器１および室内ファン２を備え、これらがキャビネット３に内装されている。キャビネット３は、高さよりも奥行きが長い箱状に形成され、前面から底面にかけて湾曲面とされる。キャビネット３の上面に吸込口４が形成され、湾曲面に吹出口５が形成される。
【００２０】
キャビネット３の内部には、吸込口４から吹出口５に至る空気通路６が形成され、この空気通路６に熱交換器１と室内ファン２とが配設される。吸込口５と、熱交換器１との間にフィルタ７が配され、吸込口４から吸込んだ室内の空気から塵埃を除去する。このフィルタ７を清掃する清掃装置８が設けられる。
【００２１】
清掃装置８は、キャビネット３内でフィルタ７を移動させて、塵埃除去部９を通過させ、塵埃除去部９において、フィルタ７に付着した塵埃を除去する。キャビネット３内の前側に、側面視でＵ字形に湾曲した案内路１０が形成され、モータ、ギアからなる移動部が、フィルタ７を案内路１０に沿って往復移動させる。塵埃除去部９において、回転ブラシ１１により、通過するフィルタ７から塵埃を掻き取り、吸引ファンにより、フィルタ７と略平行方向（左右方向）に空気を流して、掻き取った塵埃を吸引して排出する。
【００２２】
キャビネット３の湾曲面には、吹出口５を開閉する導風パネル２０が設けられる。図２〜４に示すように、導風パネル２０は、上下両開き可能とされ、導風パネル２０を移動させて開閉する開閉機構が設けられる。
【００２３】
導風パネル２０は、湾曲した１枚のパネルによって形成され、キャビネット３の前面を覆う。導風パネル２０の幅は、キャビネット３の幅と同寸とされ、吹出口５の幅より大とされる。そして、キャビネット３の前面には、前面の中段部分から底面にかけて、一段低くなるように前パネル２１が形成される。これによって、幅方向全体に凹部が形成され、凹部に導風パネル２０が嵌るようになっている。凹部を形成する前パネル２１に開口が形成され、この開口が吹出口５である。そのため、導風パネル２０は、吹出口５よりも前方に位置することになり、吹出口５および吹出口５の周囲の前パネル２１を覆う。このとき、導風パネル２０は図２に示す閉姿勢となる。
【００２４】
閉姿勢のとき、導風パネル２０の前端および後端とキャビネット３との間に隙間が形成される。図３，４に示すように、導風パネル２０が開閉するとき、導風パネル２０の端部がこの隙間に入り込む。導風パネル２０は、キャビネット３に当たらずにスムーズに回動できる。また、上開きあるいは下開きにおいて、導風パネル２０が最大に開いたとき、導風パネル２０がキャビネット３に接触するように、導風パネル２０の前後の端部を形成することにより、吹き出した風が漏れることを防げる。特に、冷風の場合には、キャビネット３の底面側での結露を防止できる。
【００２５】
このように、導風パネル２０の外面がキャビネット３の前面から底面に至る滑らかな湾曲面を構成する。すなわち、導風パネル２０が、キャビネット３の前面の一部を構成する部材となる。言い換えれば、キャビネット３のパネルの一部を導風パネル２０として利用する。これによって、導風パネル２０は、従来の空気調和機に採用されているルーバに比べて全長が長いロングパネルとなる。
【００２６】
導風パネル２０は、上下の軸を中心にして、異なる方向に回動することにより、上下いずれかの方向に開く。図４に示すように、導風パネル２０は、冷房運転時には下軸２２周りに下開きする。この下開き姿勢のとき、導風パネル２０は、吹出口５の下壁とつながり、導風パネル２０と吹出口５の上壁とによってロングノズルが形成される。導風パネル２０は、冷風を斜め上方向に導き、冷風が天井に沿って吹き出す。
【００２７】
図３に示すように、暖房運転時には上軸２３周りに上開きする。この上開き姿勢のとき、導風パネル２０は、吹出口５の前方を遮蔽し、前方に向かって吹き出される温風を押さえ込み、温風を床面方向に導く。なお、冷房運転の初期時にも、導風パネル２０は上開き姿勢とされ、冷風が床面方向に吹き出され、急速冷房が行われる。導風パネル２０は、図２に示すように、運転停止時には閉姿勢となり、吹出口５を覆って、キャビネット３と一体化する。
【００２８】
なお、吹出口５には、風向変更装置１２および図示しない補助ルーバが設けられる。風向変更装置１２は、左右方向に風向板２４の角度を変えて、左右方向の風向きを変える。補助ルーバは、導風パネル２０の姿勢に応じて上下方向の角度を変え、吹き出される風を整流しながら上下方向の風向きを変える。
【００２９】
風向変更装置１２は、図５〜８に示すように、複数の風向板２４と、風向板２４が取り付けられる基板１３と、風向板２４を互いに連結して連動させる連動杆１４とを備えている。
【００３０】
図５に示すように、基板１３は、細長いプレート状に形成されており、吹出口５に設置する際には、基板１３の長さ方向を吹出口５の左右方向Ａに合せるように、すなわち、基板１３の幅方向Ｂが吹出口５を流れる空気の流れ方向Ｃに対して平行になるようにセットされる。
【００３１】
本実施形態では、風向板２４を、基板１３の右半分に位置する右側風向板群２５と、基板１３の左側半分に位置する左側風向板群２６とに区分し、各風向板群２５，２６に、風向板２４に連結して連動させる連動杆１４をそれぞれ別個に設けるようにしている。これにより、各風向板群２５，２６は、それぞれ独立して風向板２４の角度を調節して風向きを左右に変更可能とされている。
【００３２】
基板１３の左右方向両端部の裏面には、モータ２７，２７が設置されている。モータ２７には図示しない減速装置を介して駆動アーム２８が接続されており、駆動アーム２８の回転軸２８ｂ周りに揺動可能とされている。駆動アーム２８の先端部には、ピン２８ａが形成されており、このピン２８ａが連動杆１４に回転自在に連結され、駆動アーム２８の揺動により連動杆１４が左右方向に移動する。
【００３３】
図８及び図９に示すように、風向板２４は、羽根部１５と、羽根部１５を支持して基板１３に固定される支持部１６とからなり、羽根部１５は、硬質部１５ａと、硬質部１５ａの一側部に形成されて支持部１６に接続される可撓部１５ｂとからなる。羽根部１５は、硬質部１５ａも可撓部１５ｂも同じ合成樹脂のポリプロピレンによって一体的に形成されており、硬質部１５ａの厚みt1が１．０ｍｍ、可撓部１５ｂの厚みt2が０．３ｍｍになるように形成されている。
【００３４】
このように、可撓部１５ｂは、硬質部１５ａよりも薄肉状に形成することにより、可撓性を備えている。風向板２４は、空気の流れ方向Ｃに沿って、支持部１６が上流側に、硬質部１５ａが下流側に配向するように、基板３上に固定される。なお、支持部１６も硬質部１５ａと同じ程度の厚みがあり、可撓部１５ｂのようにたわむことはない。なお、可撓部１５ｂとしては、連動杆１４の力によって撓むだけの可撓性を有していることが必要とされ、上記構成のほかに、たとえば、硬質部１５ａを構成する硬質材料とは別の軟質材料で形成することも可能である。
【００３５】
一方、風向板２４は、合成樹脂によって成形されることから、支持部１６から軸部２９ａまでの距離Ｘにバラつきが生じやすい。特に、本実施形態のように、可撓部１５ｂを有する場合には、その傾向が強くなる。
【００３６】
風向板２４において、硬質部１５ａの中央部やや下側には、長方形状の貫通孔２９が形成されており、貫通孔２９内の支持部１６寄りの位置には、連動杆１４を係止する係止部として軸部２９ａが形成されている。軸部２９ａは、その軸線方向Ｄが硬質部１５ａと可撓部１５ｂの境界線Ｅに沿って平行になるように形成されている。
【００３７】
そして、軸部２９ａの両端部にはフランジ部２９ｂが形成されている。すなわち、フランジ部２９ｂにより、貫通孔２９の内壁と、軸部２９ａとの間に段差部が形成される。これにより、連動杆１４と、貫通孔壁とが直接的に接触することを防止するとともに、前述のごとく、連動杆１４と駆動アーム２８とが直接的に接触することも防止することで、スムーズな風向変更を可能としている。
【００３８】
風向板２４の軸部２９ａに連結された連動杆１４が左右方向に移動すると、図１０に示すように、可撓部１５ｂが左右方向に湾曲して支持部１６及び羽根部１５全体として連続する緩やかな曲面を形成し、これによって空気流の方向をスムーズに変更することができる。
【００３９】
図１１及び図１２に示すように、支持部１６の基部１６ａは、基板１３に対して一方向にスライドして嵌合するように形成されている。具体的に、基板１３の幅方向Ｂの一端部には、風向板２４を固定するための切込部１７が複数形成されており、この切込部１７が形成された側が空気流れ方向Ｃの上流側になるようにして基板１３が吹出口５にセットされる。
【００４０】
一方、支持部１６の基部１６ａは、切込部１７の長さと略同じ長さの細長いブロック状で、その両側部に、切込部１７の側壁をスライド可能に嵌入する溝部１９が形成された形状とされる。基部１６ａは、基板１３の側方から溝部１９を切込部１７に挿入してスライドさせることで基板１３に嵌合される。
【００４１】
図１３は、風向板２４に連動杆１４を係合させた状態を示す平面図であり、図中、円で囲まれた部分については、一部拡大図を併記している。図示のように、連動杆１４は、細長い扁平棒状に形成されており、長さ方向の一端部を幅方向に折り曲げた略Ｌ字形状とされている。連動杆１４において、折り曲げた先端部には連結用孔３０が形成されている。また、連動杆１４の幅方向の一端部には、連動杆１４の長さ方向に沿って複数の軸孔３１が形成されている。
【００４２】
軸孔３１は、連動杆１４の長さ方向に対して直交する方向（幅方向）に細長い長孔形状とされている。連結用孔３０には、駆動アーム２８の先端に形成されたピン２８ａが連結され、連動杆１４の幅方向の一端部に形成された複数の軸孔３１には、各風向板２４の軸部２９ａが係合される。
【００４３】
なお、本実施形態においては、連動杆１４に、軸孔３１にまで達する切込部３２が設けられている。連動杆１４を駆動アーム２８及び軸部２９ａに連結する際には、連動杆１４を各風向板２４の貫通孔２９に挿通した状態で、連結用孔３０及び軸孔３１をピン２８ａ及び軸部２９ａに向けて押し込めばよい。これにより、容易に連動杆１４を駆動アーム２８及び軸部２９ａに係合させることができる。
【００４４】
なお、本実施形態においては、連動杆１４に軸孔３１にまで達する切込部３２が設けられているが、例えば、風向板２４に軸部２９ａとしてピンを突設するとともに、軸孔３１には切込部３２を設けずに長孔形状又は丸孔形状とし、この軸孔３１にピンを挿入して両者を係合させるようにしてもよい。
【００４５】
この場合には、ピンの先端部に略半球状で最大径部がピンの径よりも大径とされたストッパを形成し、連動杆１４がピンから脱落するのを防止するのが好ましい。ピンを軸孔３１に係合する際には、ストッパを先頭にしてピンを軸孔に無理嵌めすればよい。なお、本実施の形態では、連結用孔３０の形状はＣ型であるが、丸孔形状としてもよい。
【００４６】
本実施形態では、連動杆１４に形成された軸孔３１は、全て長孔形状とされているが、第２の態様として、図１４に示すように、長さ方向一端側に連結用孔３０が形成された連動杆１４において、長さ方向他端側に位置する軸孔３１ａの形状を、軸部２９ａを回転自在に嵌合する丸孔形状とし、それ以外の軸孔３１ｂを長孔形状とすることも可能である。
【００４７】
上記態様においては、連動杆１４に形成された複数の軸孔３１のうちの一つ３１ａを、丸孔形状とすることにより、軸孔３１ｂと軸部２９ａとの間の遊びによって、連動杆１４がガタつくのを防ぐことが可能となる。
【００４８】
なお、上記第２態様において、軸孔３１ａが係合する風向板２４ａは、支持部１６を基板１３の幅方向Ｂにスライドさせて位置調節可能とするのが好ましい。
【００４９】
すなわち、図１４に示す第２態様においては、風向板２４ａの距離Ｘによって連動杆１４の姿勢が決定されることになる。従って、例えば、たまたま風向板２４ａの距離Ｘが短かった場合、他の軸孔３１ｂにおける軸孔−支持部間の距離も短くなってしまう。そうすると、距離Ｘの長い風向板２４においては、軸部２９ａが軸孔３１ｂに接触して撓むおそれが生じる。
【００５０】
そこで、上述のごとく、風向板２４ａの支持部１６の位置を調節可能とすることで、各軸孔３１ｂにおける軸孔−支持部間の距離を調整して風向板２４の向きが不揃いになるのを適宜防止することができる。
【図面の簡単な説明】
【００５１】
【図１】本発明に係る空気調和機の室内ユニットを示す外観斜視図
【図２】図１の室内ユニットの側面断面図
【図３】図２において導風パネルが下開きした状態を示す側面断面図
【図４】図２において導風パネルが上開きした状態を示す側面断面図
【図５】本発明に係る風向変更装置を示す斜視図
【図６】図５の部分拡大図
【図７】図６の分解斜視図
【図８】図７の部分拡大図
【図９】図９（ａ）は風向板の平面図を、図９（ｂ）は風向板の側面図を示す。
【図１０】風向板が湾曲した状態を示す平面図
【図１１】風向板と基板とを分解した状態を示す斜視図
【図１２】風向板を基板に嵌合した状態を示す斜視図
【図１３】風向板に連動杆を係合させた状態を示す平面図
【図１４】連動杆の第２の態様を示す平面図
【図１５】風向板に従来の連動杆を係合させた状態を示す平面図
【符号の説明】
【００５２】
１                熱交換器
２                室内ファン
３                キャビネット
４                吸込口
５                吹出口
６                空気通路
１２                風向変更装置
１３                基板
１４                連動杆
１５                羽根部
１５ａ              硬質部
１５ｂ              可撓部
１６                支持部
１６ａ              基部
１７                切込部
１９                溝部
２０                導風パネル
２１                前パネル
２２                下軸
２３                上軸
２４                風向板
２５                右側風向板群
２６                左側風向板群
２７                モータ
２８                駆動アーム
２８ａ              ピン
２８ｂ              回転軸
２９                貫通孔
２９ａ              軸部
３０                連結用孔
３１                軸孔
３２                切込部
Ａ                吹出口の左右方向
Ｂ                基板の幅方向
Ｃ                空気の流れ方向
Ｘ                支持部と軸部との間の距離
【図１】
2009299991.tif 000003
【図２】
2009299991.tif 000004
【図３】
2009299991.tif 000005
【図４】
2009299991.tif 000006
【図５】
2009299991.tif 000007
【図６】
2009299991.tif 000008
【図７】
2009299991.tif 000009
【図８】
2009299991.tif 000010
【図９】
2009299991.tif 000011
【図１０】
2009299991.tif 000012
【図１１】
2009299991.tif 000013
【図１２】
2009299991.tif 000014
【図１３】
2009299991.tif 000015
【図１４】
2009299991.tif 000016
【図１５】
2009299991.tif 000017